(57)【要約】【課題】玄関先などに降り積もり、踏み固められて圧雪やアイスバーンとなった氷雪を、割り砕いて取り除くための氷雪割り具に関し、複数本の氷雪割り棒を同時に氷雪に作用させて綺麗に能率よく取り除くことができる。【解決手段】保持柄１１と、保持柄１１の一端に取り付けた刃先固定板１４と、刃先固定板１４に固定される針状刃先１２ａを有する複数本の氷雪割り棒１２からなる氷雪割り具１０において、氷雪割り棒１２を互いに平行に配列し、氷雪割り棒１２の先端における針状刃先１２ａの位置を揃えた。【選択図】図３
0003103153.tif 000002
【実用新案登録請求の範囲】
【請求項１】
保持柄と、保持柄の一端に取り付けた刃先固定板と、刃先固定板に固定される針状刃先を有する複数本の氷雪割り棒からなる氷雪割り具において、氷雪割り棒を互いに平行に配列し、氷雪割り棒の先端における針状刃先の位置を揃えた氷雪割り具の氷雪割り棒。
【請求項２】
氷雪割り棒を刃先固定板に着脱可能に固定した請求項１記載の氷雪割り具の氷雪割り棒。
【考案の詳細な説明】
【技術分野】
【０００１】
本考案は、玄関先などに降り積もり、踏み固められて圧雪やアイスバーンとなった氷雪を、割り砕いて取り除くための氷雪割り具に関する。
【背景技術】
【０００２】
積雪地帯では、玄関先や歩道，屋外駐車場などの通路に冬季間に降り積もった雪が足や車に踏み固められ、圧雪やアイスバーンとなった氷雪は春先まで残り、通路に残っているとその氷雪に足をとられ危険なため、割り砕いて取り除くことが行われる。
【０００３】
従来、一般的に行われている氷雪を割り砕く作業には「つるはし」（ピッケル）が使用されている。「つるはし」はその重さを利用して打ち下ろし、氷雪を打ち砕くものであるが、「つるはし」の先端が氷雪で滑って足先に向かってきたり、打ち砕かれた氷雪片が四方に飛び散ったり、危険を伴う作業である。
【０００４】
さらに、「つるはし」は重いので、非力な婦女子や老人にはそれを使用して作業することすら不可能である。しかし、一般家庭ではそのような人が日中に家にいることが多く、そのような非力な人でも、安全に氷雪を割り砕く作業ができる道具が要望されている。
【０００５】
このような、非力な人でも安全に氷雪を割り砕く作業ができる道具として、本考案の出願人が実用新案登録第３０９７２４５号にて提案したように、両端部が互いに反対方向に曲がった管状の保持柄と、保持柄の一端に挿入され着脱可能に固定される針状刃先固定棒と、針状刃先固定棒に挿入され着脱可能に固定される一本の針状刃先とからなる氷雪割り具が知られている。
【０００６】
この氷雪割り具は、尖った一本の円錐形状の先端部を路面と氷雪の間にほぼ水平に挿入することで、非力な婦女子や老人でも安全に作業ができるものである。また、針状刃先を前後させるだけで、能率よく作業ができる。
【０００７】
また、実開昭５７−１６８５２０号に示されるように、管状の保持柄と、保持柄の一端に取り付けた３本の放射状の氷雪割り棒とからなる、氷雪割り具は知られている。この氷雪割り具では、放射状の氷雪割り棒のうち中央部分が長く突出し、３本の氷雪割り棒を一体に着脱自在としている。
【０００８】
この氷雪割り具は、トンネル内の漏水によって発生する結氷などを、下から突き上げて破砕するのに適しているとされるものである。
【特許文献１】実用新案登録第３０９７２４５号
【特許文献２】実開昭５７−１６８５２０号
【考案の開示】
【考案が解決しようとする課題】
【０００９】
上記の実用新案登録第３０９７２４５号に示される氷雪割り具は、氷雪割り具の尖った一本の円錐形状の針状刃先を氷雪の間にほぼ水平に挿入することで割り砕くものであるが、氷雪が路面と強固に粘着していると、氷雪が筋状に路面に残ってしまう。わずかに筋状に残った氷雪を一本の円錐形状の針状刃先で綺麗に取り除こうとすると、少しずつしか割り砕けず、非常に能率の悪いものとなってしまう。
【００１０】
また、前記の非力なものではなく成人男性のように力のあるものにとって、一本の針状刃先では力が有り余るから、複数本の氷雪割り棒としてほしいという要望も聞かれるが、実開昭５７−１６８５２０号に示されるような中央部分が長く突出した氷雪割り棒を氷雪の間にほぼ水平に挿入しようとしても、中央の氷雪割り棒のみが作用して他の氷雪割り棒を作用させることはできない。
【００１１】
そこで本考案では、複数本の氷雪割り棒を同時に氷雪に作用させて綺麗に能率よく取り除くことができ、氷雪が硬い或は非力なものが使用する場合には氷雪割り棒の本数を減らすことができる、氷雪割り具の氷雪割り棒を提供する事を目的とする。
【課題を解決するための手段】
【００１２】
請求項１の考案における氷雪割り具の氷雪割り棒は、保持柄１１と、保持柄１１の一端に取り付けた刃先固定板１４と、刃先固定板１４に固定される針状刃先１２ａを有する複数本の氷雪割り棒１２からなる氷雪割り具１０において、氷雪割り棒１２を互いに平行に配列し、氷雪割り棒１２の先端における針状刃先１２ａの位置を揃えたものである。
【００１３】
請求項２の考案における氷雪割り具の氷雪割り棒は、氷雪割り棒１２を刃先固定板１４に着脱可能に固定したものである。
【考案の効果】
【００１４】
請求項１の考案によれば、氷雪割り棒１２を互いに平行に配列し、氷雪割り棒１２の先端における針状刃先１２ａの位置を揃えたから、複数本の氷雪割り棒１２を同時２に氷雪に作用させることができ、綺麗に能率よく取り除くことができる。
【００１５】
請求項２の考案によれば、氷雪割り棒１２を刃先固定板１４に着脱可能に固定したから、氷雪２が硬い或は非力なものが使用する場合には、氷雪割り棒１２の本数を減じて、労力を減らすことができる。
【考案を実施するための最良の形態】
【００１６】
複数本の氷雪割り棒を同時に氷雪に作用させて綺麗に能率よく取り除くことができ、氷雪が硬い或は非力なものが使用する場合には氷雪割り棒の本数を減らすことができる、氷雪割り具の氷雪割り棒を提供する目的を最小限の構成で実現した。
【実施例１】
【００１７】
以下、本考案の一実施例につき図面を参照して説明する。
【００１８】
図１に示すのは、路面１に踏み固められた氷雪２の、路面１と氷雪２の間に氷雪割り棒１２をほぼ水平に挿入する状態の氷雪割り具１０である。
【００１９】
氷雪割り具１０には、両端部が互いに反対方向に約４５度の角度で曲がった管状の保持柄１１を設け、保持柄１１は薄肉の鋼管で全長が約１４０cmの長さの両端から１４〜２０cmの位置で曲げて形成される。
【００２０】
保持柄１１の上方となる端部には握り１３がはめ込まれ、下方となるもう一端に氷雪割り棒１２が取り付けられる。
【００２１】
氷雪割り棒１２が取り付けられる保持柄１１の一端に挿入され、着脱可能に固定される刃先固定板１４を設ける。刃先固定板１４は、略円筒棒状部と矩形板状部で構成され、刃先固定板１４の略円筒棒状部が保持柄１１に挿入され、矩形板状部の孔に３本の氷雪割り棒１２が挿入され、刃先固定板１４の矩形板状部に挿入された氷雪割り棒１２は押ネジ１５で着脱可能に固定される。
【００２２】
３本の氷雪割り棒１２は、等間隔に互いに平行に配列し、氷雪割り棒１２の先端における針状刃先１２ａの位置を揃える。
【００２３】
氷雪割り棒１２は、直径約６mmの焼入れした鋼棒で形成され、その長さは約１６cmとし、その基部の約３cmが刃先固定板１４に挿入され、その先端部は針状刃先１２ａとして氷雪２に突き刺すために尖っており、その針状刃先１２ａから約３cmの間に渡る円錐形状とした。
【００２４】
図４に示すのは、３本の氷雪割り棒１２のうち両側の氷雪割り棒１２を取り外した状態であり、押ネジ１５を緩めて取り外す。これは、氷雪２が硬い、或は非力なものが使用する場合の変形例である。
【００２５】
以上の実施例では、３本の氷雪割り棒１２とした例を示したが、４本以上の氷雪割り棒１２としても良い。
【００２６】
また、刃先固定板１４を保持柄１１に着脱可能に固定される例を示したが、刃先固定板１４を保持柄１１に溶着などにより着脱不能に固定しても良い。
【図面の簡単な説明】
【００２７】
【図１】氷雪割り具の氷雪割り棒の一実施例に係る側面図である。
【図２】図１の要部を示す部分拡大図である。
【図３】図２のＡ矢視図である。
【図４】図３の一部の氷雪割り棒を外した図である。
【符号の説明】
【００２８】
１０  氷雪割り具
１１  保持柄
１２  氷雪割り棒
１２ａ  針状刃先
１４  刃先固定板
【図１】
0003103153.tif 000003
【図２】
0003103153.tif 000004
【図３】
0003103153.tif 000005
【図４】
0003103153.tif 000006